(57)【特許請求の範囲】
【請求項１】
角筒状をした外箱とそれに挿入する内箱とからなり、外箱は下板、側板、上板、側板及び糊代板を備えるとともに、その上板と各側板との連設部には、上板の両サイドに庇のように突き出る小幅の凸片が設けられ、その凸片の下側には、それぞれ所定長さの切込線によるスリットが設けられており、内箱は底板、側板、天板、側板及び糊代板を備え、かつ前後を閉鎖する前板と後板とを有し、天板と各側板との連設部には、外箱の各スリットにそれぞれ入り込み、両サイドへ突き出す幅が前記外箱の凸片の突き出す幅以下である楔状突出部分が設けられており、内箱は外箱の一端より差し込むことによって楔状突出部分が外箱の各スリットにそれぞれ入り込んだ状態で外箱の中にセットされ、セットされた状態では外箱から一定の距離だけ引き出すことができるようになっており、内箱には外箱から一定の距離を引き出した時に外箱から露出する中身取出し用の開口が設けられていることを特徴とするスライド式カートン。
【発明の詳細な説明】
【技術分野】
【０００１】
本発明は、紙器用の板紙等からなるカートンの技術分野に属し、詳しくは、粒状の菓子類を収納して販売するために用いられるスライド式カートンに関するものである。
【背景技術】
【０００２】
従来、この種のカートンとして、細長い角筒状をした板紙製の外箱（スリーブ）とそれに挿入する板紙製の内箱（中舟）との組合せからなるスライド式のものが知られている。このスライド式カートンは、内箱に粒状の菓子類（ガム、飴、チョコレート等）を一列又は数列に並べて入れ、それを外箱に差し込んで収納状態とするものであり、通常、サイズ的にはポケットやバッグなどに入れて携帯できる大きさになっている。
【０００３】
このようなスライド式カートンは、中身である粒状の菓子類を少しずつ出して食べることができ、しかも携帯できるので便利であるという利点を有しているが、使用中に内箱が外箱から抜け落ちるという心配があった。そこで、内箱の抜け落ちを防止するように構成したスライド式カートンが提案されている。
【０００４】
【特許文献１】特開平９−２８６４３１号公報
【特許文献２】特開平１１−３３４７２３号公報
【発明の開示】
【発明が解決しようとする課題】
【０００５】
上記した特許文献１に記載のスライド式カートンは、内箱底部の一部を折り返した舌片と外箱端部で折り返した舌片とを互いに引っ掛けることで抜け止めを行うようにしており、組み立てるに際しては、これらの舌片を折り返した状態として外箱に内箱を挿入する工程が必要であるため、組立工程が簡単ではない。また、特許文献２に記載のスライド式カートンは、内箱のストッパー片が外箱に形成される長窓状開口部に案内されて移動することで抜け外れを防止するようになっているが、案内機構が片側にしかなく、しかも広い開口に案内されるため、力の掛かり方によっては内箱のスライドと停止が安定しないことがあり、また一枚の紙材の加工によって製作できるものの、長窓状開口部には切り取り部を除去した際のギザギザが残るためにストッパー片が引っ掛かって内箱の滑りが悪くなるといった問題もある。
【０００６】
本発明は、このような問題点に鑑みてなされたものであり、その目的とするところは、抜け止めが施されていながら、外箱に対する内箱の滑りが安定しており、しかも組立が簡単なスライド式カートンを提供することにある。
【課題を解決するための手段】
【０００７】
上記の目的を達成するため、本発明のスライド式カートンは、角筒状をした外箱とそれに挿入する内箱とからなり、外箱は下板、側板、上板、側板及び糊代板を備えるとともに、その上板と各側板との連設部には、上板の両サイドに庇のように突き出る小幅の凸片が設けられ、その凸片の下側には、それぞれ所定長さの切込線によるスリットが設けられており、内箱は底板、側板、天板、側板及び糊代板を備え、かつ前後を閉鎖する前板と後板とを有し、天板と各側板との連設部には、外箱の各スリットにそれぞれ入り込み、両サイドへ突き出す幅が前記外箱の凸片の突き出す幅以下である楔状突出部分が設けられており、内箱は外箱の一端より差し込むことによって楔状突出部分が外箱の各スリットにそれぞれ入り込んだ状態で外箱の中にセットされ、セットされた状態では外箱から一定の距離だけ引き出すことができるようになっており、内箱には外箱から一定の距離を引き出した時に外箱から露出する中身取出し用の開口が設けられていることを特徴としている。
【発明の効果】
【０００８】
本発明のスライド式カートンは、内箱の天板における左右両側の楔状突出部分が外箱の上板と各側板との連設部にある左右のスリットにそれぞれ入り込んだ状態になり、内箱は外箱に対して左右両サイドをガタツキがない状態で案内されるので、外箱に対する内箱の滑りが安定し、外箱に対して内箱をスムースに出し入れすることができる。また、組立てに際しては、内容物を充填した内箱を外箱に差し込むだけでよく、この挿入工程は手作業で行うことができることから、半自動による製造が可能となり、小ロットの場合など、専用の充填設備を準備しなくてもよい。また、機械化するにしても、内容物を充填した内箱を外箱で包むようにして組み立てるのに比べると高速化が可能である。
【発明を実施するための最良の形態】
【０００９】
次に、本発明の実施の形態について図面を参照しながら詳細に説明する。
【００１０】
図１は本発明に係るスライド式カートンを構成する外箱と内箱を離間状態で示す斜視図であり、図１の外箱１０は図２にその展開図を示すブランクＡからなり、図１の内箱２０は図３にその展開図を示すブランクＢからなる。これらのブランクＡ，Ｂは、内箱２０が外箱１０の中に挿入可能でしかも外箱１０の中をスライドできるように各部分のサイズが決められている。
【００１１】
図２に示すブランクＡは、紙器用の板紙を打ち抜いて形成されたもので、側板１１、上板１２、側板１３、下板１４及び糊代板１５が折線を介して順次連設されており、上板１２と各側板１１，１３との連設部における前方寄りのところにそれぞれ所定長さの切込線ａが設けられている。この一対の切込線ａは、上板１２からそれぞれ側板１１，１３に向けて僅かに突き出た状態で形成されており、連設部を折り曲げると、図１に示すように上板１２の両サイドに小幅の凸片１２ａが庇のように突き出るとともに、その凸片１２ａの下側にスリットが形成されるようになっている。また、上板１２の前方には内箱を引き出しやすくするための切欠部１２ｂが形成されている。
【００１２】
図３に示すブランクＢは、ブランクＡと同様に紙器用の板紙を打ち抜いて形成されたもので、側板２１、天板２２、側板２３、底板２４及び糊代板２５が折線を介して順次連設されており、天板２２の前後にそれぞれ折線を介して前方端板２６と後方端板２７が連設され、これら前方端板２６と後方端板２７の先端にはそれぞれ差込みフラップ２８，２９が連設されており、側板２１の前後には折曲げフラップ２１ａ，２１ｂが、側板２３の前後には折曲げフラップ２３ａ，２３ｂが連設されている。
【００１３】
そして、天板２２と各側板２１，２３との連設部における中程のところにそれぞれ「フ」型とその反対向きの切込ｂが向かい合って設けられており、連設部の折線を折り曲げるとこれらの切込ｂによって図１に示すような２つの楔状突出部分２２ａが形成されるようになっている。これらの楔状突出部分２２ａは、外箱１０の中に内箱２０をセットした時に、外箱１０の切込線ａで形成されるスリットに入り込んだ状態となり、内箱２０は外箱１０から一定の距離だけ引き出すことができるようになっている。すなわち、天板２２の楔状突出部分２２ａがスリットの前方端部に当接するところまで引き出すことができる。また、一方の側板２３には中身取出し用の開口αが設けられており、この開口αは、内箱２０を外箱１０から一定の距離を引き出した時に外箱１０から露出する位置に設けられている。
【００１４】
ブランクＢの前方端板２６は、横幅が天板２２より僅かに大きくされており、内箱２０を外箱１０に挿入してスライドさせて閉じた時に、前方端板２６の左右が外箱１０における側板１１，１３の端縁外側に当たるようになっている。このようにカートンを閉じると内箱２０の前方側板２６が外箱１０の側板１１，１３に当接するが、天板２２の楔状突出部分２２ａがスリットの後方端部に当接するのと略同時である。
【００１５】
また、前方端板２６と天板２２との境界には天板２２の方に向けて僅かに突き出た状態で切込ｃが形成されており、境界部分の折線を折り曲げると図１に示すように前方端板２６の上辺に小さな凸片２６ａが突き出るようになっており、切込ｃはそれによって突き出る凸片２６ａが外箱１０の上板１２にある切欠部１２ａの前方に位置するように形成されている。
【００１６】
これらのブランクＡ，Ｂから図４に示す如きスライド式カートンＣを形成するが、まずブランクＡ，Ｂで外箱１０と内箱２０を別々に組み立てる。
【００１７】
ブランクＡで外箱１０を組み立てるには、糊代板１５を側板１１の裏側に貼着してサック貼りし、これを角筒状に起こせばよい。一方、ブランクＢを組み立てて内箱２０を形成するには、まず、糊代板２５を側板２１の裏側に貼着してサック貼りし、これを角筒状に起こした状態から、折曲げフラップ２１ｂ、２３ｂを内側に折り曲げて差込みフラップ２９を差し込むようにして後方端板２７で蓋をする。このように後部を閉じてから開いている前部から内容物を充填し、折曲げフラップ２１ａ、２３ａを内側に折り曲げて差込みフラップ２８を差し込むようにして前方端板２６で蓋をする。
【００１８】
外箱１０と内箱２０を組み立てた後、図５に示すように、外箱１０の前方から内箱２０を差し込む。これにより、内箱２０はその天板２２両サイドにある楔状突出部分２２ａが外箱１０の凸片１２ａ下側にある各スリットにそれぞれ入り込んだ状態で外箱１０の中にセットされる。すなわち、内箱２０の楔状突出部分２２ａは、僅かに変形した状態で外箱１０の内面に接しながらスリットのところまで到達し、スリットに入り込むと変形が元に戻るように拡がった状態となり、これによって内箱２０は外箱１０の中に摺動可能な状態でセットされ、図４に示すスライド式カートンＣが完成する。このように、内容物を充填した内箱２０を外箱１０の一端より差し込むことで簡単に一体化することができる。
【００１９】
図４のスライド式カートンＣから内容物を取り出すには、外箱１０の上板１２における切欠部１２ｂに指先を入れ、前方端板２６の上部に形成された凸片２６ａを前方へ押し出すことで内箱２０を引き出す。或いは、前方端板２６の両サイドを摘んで内箱２０を引き出す。或いは、後方端板２７を前方に向けて押すことで内箱２０を押し出す。これにより、図６に示すように、楔状突出部分２２ａがスリットの前端部に当接するところまで内箱２０が引き出され、その時、図６の如く内箱２０の開口αが露出するので、ここから内容物を振り出すことができる。また、内容物の取出し後に内箱２０を閉じる時は、前方端板２６を押して内箱２０を外箱１０の中に押し込むと、前方側板２６が外箱１０の側板１１，１３に当接するか、これと略同時に天板２２の楔状突出部分２２ａがスリットの後方端部に当接して、図４の状態に戻る。
【００２０】
以上、本発明の実施の形態について詳細に説明してきたが、本発明によるスライド式カートンは、上記実施の形態に何ら限定されるものではなく、本発明の趣旨を逸脱しない範囲において種々の変更が可能であることは当然のことである。
【００２１】
例えば、上記の例では、スライド式カートンを構成する外箱と内箱をそれぞれ紙器用の板紙で形成したが、これらは両方とも或いは片方だけをプラスチック製シートで形成してもよい。
【００２２】
また、上記の例では、中身取出し用の開口αを内箱２０における一方の側板２３に設けたが、この開口は左右どちらの側板に設けてもよいし、両方にあっても構わないものである。また、底板２４に設けるようにしてもよい。
【図面の簡単な説明】
【００２３】
【図１】本発明に係るスライド式カートンを構成する外箱と内箱を離間状態で示す斜視図である。
【図２】図１に示すスライド式カートンの外箱を形成するブランクの展開図である。
【図３】図１に示すスライド式カートンの内箱を形成するブランクの展開図である。
【図４】スライド式カートンを組み立てた状態で示す斜視図である。
【図５】スライド式カートンを組み立てる途中の様子を示す斜視図である。
【図６】図４のスライド式カートンを開けた状態で示す斜視図である。
【符号の説明】
【００２４】
Ａ，Ｂ  ブランク
Ｃ  スライド式カートン
ａ  切込線
ｂ，ｃ  切込
α  開口
１０  外箱
１１  側板
１２  上板
１２ａ  凸片
１２ｂ  切欠部
１３  側板
１４  下板
１５  糊代板
２０  内箱
２１  側板
２１ａ，２２ｂ  折曲げフラップ
２２  天板
２２ａ  楔状突出部分
２３  側板
２３ａ，２３ｂ  折曲げフラップ
２４  底板
２５  糊代板
２６  前方端板
２６ａ  凸片
２７  後方端板
２８，２９  差込みフラップ
【図１】
0005099422.tif 000002
【図２】
0005099422.tif 000003
【図３】
0005099422.tif 000004
【図４】
0005099422.tif 000005
【図５】
0005099422.tif 000006
【図６】
0005099422.tif 000007